(57)【要約】【課題】他人の測定データが混入蓄積されることは無く、使用者本人の適切な健康管理が行われる生体情報測定装置を提供する。【解決手段】バイオセンサ１に装着可能形状となったセンサキー２と、このセンサキー２を装着したバイオセンサ１を保持するセンサ保持部３を有する本体ケース４からなり、この本体ケース４は、前記バイオセンサ１に点着された生体試料の測定を行う生体情報測定部５と、この生体情報測定部５が測定した測定データを記憶する記憶部６と、前記測定データを表示する表示部９とを備え、前記記憶部６は、前記センサ保持部３内に設けられたセンサキー認証部８が出力する信号を受けて、この信号が前記センサキー２の非認証を表す場合には、前記測定データの記憶を非実行とする。【選択図】図１
2010066147.tif 000002
【特許請求の範囲】
【請求項１】
バイオセンサに装着可能形状となったセンサキーと、
このセンサキーを装着したバイオセンサを保持するセンサ保持部を有する本体ケースからなり、
この本体ケースは、前記バイオセンサに点着された生体試料の測定を行う生体情報測定部と、
この生体情報測定部が測定した測定データを記憶する記憶部と、
前記測定データを表示する表示部とを備え、
前記記憶部は、前記センサ保持部内に設けられたセンサキー認証部が出力する信号を受けて、この信号が前記センサキーの非認証を表す場合には、前記測定データの記憶を非実行とする生体情報測定装置。
【請求項２】
前記表示部は、前記センサキー認証部が出力する信号を受けて、この信号が前記センサキーの非認証を表す場合には、非認証であることを表す情報を、前記測定データと併記して表示する請求項１に記載の生体情報測定装置。
【請求項３】
前記センサ保持部は、前記バイオセンサに前記センサキーが装着されていない状態でも、前記バイオセンサを保持可能な構成とした請求項１または２に記載の生体情報測定装置。
【請求項４】
前記センサキー認証部は、前記センサキーに記録された固有情報を読み取り、この固有情報が前記センサキー認証部に登録されたものか否かを判定する構成とし、前記固有情報が登録されていない、あるいは前記固有情報を読み取ることが出来なかった時に前記センサキーを非認証と判定する請求項１から３のいずれか一項に記載の生体情報測定装置。
【請求項５】
前記センサキー認証部は、前記センサ保持部が保持した前記バイオセンサに前記センサキーが装着されていないことを検知した場合に非認証と判定する請求項４に記載の生体情報測定装置。
【請求項６】
前記センサキー認証部は、前記生体情報測定部から前記生体試料の測定が完了した信号を受ける構成とし、前記生体試料の測定が完了して後、前記センサキーが前記センサ保持部から取り外されたことを検知するまでは信号を非認証として出力する請求項１から５のいずれか一項に記載の生体情報測定装置。
【請求項７】
バイオセンサに装着可能形状となったセンサキーと、
このセンサキーを装着したバイオセンサを保持するセンサ保持部を有する本体ケースからなり、
この本体ケースは、前記バイオセンサに点着された生体試料の測定を行う生体情報測定部と、
この生体情報測定部が測定した測定データを記憶する記憶部とを備え、
前記生体情報測定部は、前記センサ保持部内に設けられたセンサキー認証部が出力する信号を受けて、この信号が前記センサキーの非認証を表す場合には、前記生体試料の測定を非実行とする生体情報測定装置。
【請求項８】
前記センサキー認証部は、前記センサキーに記録された固有情報を読み取り、この固有情報が前記センサキー認証部に登録されたものか否かを判定する構成とし、前記固有情報が登録されていない、あるいは前記固有情報を読み取ることが出来なかった時に前記センサキーを非認証と判定する請求項７に記載の生体情報測定装置。
【請求項９】
前記センサキー認証部は、前記生体情報測定部から前記生体試料の測定が完了した信号を受ける構成とし、前記生体試料の測定が完了して後前記センサキーが前記センサ保持部から取り外されたことを検知するまでは信号を非認証として出力する請求項７または８に記載の生体情報測定装置。
【請求項１０】
前記生体情報測定部は、
前記生体試料の測定を行う測定部と、
この測定部に測定を行うための電力を供給する測定電力供給部とを備え、
この測定電力供給部は、前記センサキー認証部が非認証と判定した場合には、前記測定部に電力を非供給とする請求項７から９のいずれか一項に記載の生体情報測定装置。
【請求項１１】
前記本体ケースは、前記生体情報測定部が測定した測定データと、前記センサキー認証部が出力する信号とを受ける表示部を備え、
この表示部は、前記センサキー認証部が非認証と判定した場合には、測定が非実行であることを表示する請求項７から１０のいずれか一項に記載の生体情報測定装置。
【請求項１２】
バイオセンサに装着可能形状となった複数のセンサキーと、
これら複数のセンサキーのいずれか１つを装着したバイオセンサを保持するセンサ保持部を有する本体ケースからなり、
この本体ケースは、前記バイオセンサに点着された生体試料の測定を行う生体情報測定部と、
前記複数のセンサキーにそれぞれ対応した複数の記憶領域を有し、前記生体情報測定部が測定した測定データが入力される記憶部と、
前記センサ保持部内に設けられたセンサキー認証部が出力する認証情報を受け、前記記憶部内の複数の記憶領域のうちいずれか１つに前記測定データを記憶させることを指示する信号を前記記憶部に出力する記憶領域選択部とを設けた構成とした生体情報測定装置。
【請求項１３】
前記センサ保持部は、前記バイオセンサに前記センサキーが装着されていない状態でも、前記バイオセンサを保持可能な構成とした請求項１２に記載の生体情報測定装置。
【請求項１４】
前記センサキー認証部は、前記センサキーに記録された固有情報を読み取る構成とし、この固有情報を読み取ることが出来たか否かを示す信号と前記固有情報とを、前記認証情報として出力する請求項１２または１３に記載の生体情報測定装置。
【請求項１５】
前記センサキー認証部は、前記センサ保持部が保持した前記バイオセンサに前記センサキーが装着されていないことを認識した場合に前記信号を非認証として出力する請求項１４に記載の生体情報測定部。
【請求項１６】
前記記憶領域選択部は、前記認証情報に含まれる固有情報に割り当てられた記憶領域を特定し、この特定した記憶領域に前記測定データを記憶するように前記記憶部に指示する請求項１２から１５のいずれか一項に記載の生体情報測定装置。
【請求項１７】
前記センサキー認証部は、前記生体情報測定部から前記生体試料の測定が完了した信号を受ける構成とし、前記生体試料の測定が完了して後、前記センサキーが前記センサ保持部から取り外されたことを検知するまでは信号を非認証として出力する請求項１２から１６のいずれか一項に記載の生体情報測定装置。
【請求項１８】
前記本体ケースは、前記生体情報測定部が測定した測定データと前記記憶領域選択部が出力する選択情報信号とを受ける表示部を備え、
この表示部は、前記記憶部内のどの記憶領域に前記測定データを記憶したかを表示する請求項１２から１７のいずれか一項に記載の生体情報測定装置。
【発明の詳細な説明】
【技術分野】
【０００１】
本発明は、生体情報測定装置の測定データを蓄積する技術に関する。
【背景技術】
【０００２】
従来の生体情報測定装置は、生体情報を測定する度にその測定データを蓄え、蓄積したデータを用いて、使用者の健康状態を管理する機能を有している。例えば、血糖値を測定する血糖値計測装置において、蓄積した血糖値の測定データを演算した曲線と、血糖値データの目標とする曲線とをプロットしたグラフを作成し、表示する技術が開示されている（例えば、特許文献１参照）。
【特許文献１】国際公開第２００５／１０６４４６号パンフレット
【発明の開示】
【発明が解決しようとする課題】
【０００３】
このような従来の技術は、使用者が目標と測定データとの比較が出来て、健康管理の補助として有用である。ところが、蓄積する測定データの中に使用者本人以外の測定データが混入すると、測定データを演算した曲線はもはや、使用者の正確な健康状態を表さなくなってしまう。即ち、蓄積する測定データへの使用者以外の測定データの混入を避けなければならない。
【０００４】
ところが、日常生活においては、自分の生体情報測定装置の持参を忘れ、他人の生体情報測定装置を借りてその測定をしようとすることが発生する。しかし、この場合に、他人の要望に応じて、自らの生体情報測定装置を貸すと、自分自身の測定データ中に他人の測定データが混入蓄積されてしまい、その結果として、使用者本人の適切な健康管理が行えなくなる。
【０００５】
そこで、本発明は、使用者本人の適切な健康管理が行えるようにすることを目的とするものである。
【課題を解決するための手段】
【０００６】
そしてこの目的を達成するために、本発明の生体情報測定装置は、バイオセンサに装着可能形状となったセンサキーと、このセンサキーを装着したバイオセンサを保持するセンサ保持部を有する本体ケースからなり、この本体ケースは、前記バイオセンサに点着された生体試料の測定を行う生体情報測定部と、この生体情報測定部が測定した測定データを記憶する記憶部と、前記測定データを表示する表示部とを備え、前記記憶部は、前記センサ保持部内に設けられたセンサキー認証部が出力する信号を受けて、この信号が前記センサキーの非認証を表す場合には、前記測定データの記憶を非実行とし、これにより、初期の目的を達成するものである。
【発明の効果】
【０００７】
以上のように本発明の生体情報測定装置は、バイオセンサに装着可能形状となったセンサキーと、このセンサキーを装着したバイオセンサを保持するセンサ保持部を有する本体ケースからなり、この本体ケースは、前記バイオセンサに点着された生体試料の測定を行う生体情報測定部と、この生体情報測定部が測定した測定データを記憶する記憶部と、前記測定データを表示する表示部とを備え、前記記憶部は、前記センサ保持部内に設けられたセンサキー認証部が出力する信号を受けて、この信号が前記センサキーの非認証を表す場合には、前記測定データの記憶を非実行とするものであるので、使用者の適切な健康管理が行えるようになる。
【０００８】
即ち、本発明においては、その記憶部は、バイオセンサに、個人特有のセンサキーが装着されていない状態では、測定データを記憶しない構成となっているので、その記憶部に、他人の測定データが混入蓄積されることは無く、その結果として、使用者本人の適切な健康管理が行われるようになるのである。
【発明を実施するための最良の形態】
【０００９】
以下に、本発明の生体情報測定装置の実施の形態を図面とともに詳細に説明する。
【００１０】
（実施の形態１）
図１は、本発明の第一の実施の形態を携帯用血糖値測定器に適用したものを示し、図１（ａ）は外観図、図１（ｂ）は内部ブロック図を示す。
【００１１】
この図１に示すように、本実施の形態の生体情報測定装置は、長方形板状のバイオセンサ１に装着可能形状となったセンサキー２と、このセンサキー２を装着したバイオセンサ１を保持するセンサ保持部３を有する本体ケース４からなる。
【００１２】
前記センサキー２は、図２からも明らかなように、バイオセンサ１の長手方向に対して、大径の枠体２ａと小径の枠体２ｂを一体化したものであって、これらの枠体２ａ、２ｂを貫通する貫通孔２ｃが設けられ、この貫通孔２ｃに図１に示すバイオセンサ１が図２（ａ）の如く挿入装着される。
【００１３】
前記本体ケース４内には、バイオセンサ１に点着された生体試料の測定を行う生体情報測定部５と、この生体情報測定部５が測定した測定データを記憶する記憶部６を備えている。本実施の形態における生体試料とは、人の血液を示し、生体情報測定部５は、この血液中の血糖値を測定するものである。
【００１４】
さらに、センサ保持部３には、センサキー２の固有情報記録部７に記録された固有情報（個人の識別情報）の認証を行うセンサキー認証部８が設けられ、認証した結果を記憶部６と表示部９へ出力する構成となっている。
【００１５】
センサキー認証部８は、固有情報記録部７からの固有情報を読み取り、センサキー認証部８内のメモリ（図示せず）に登録されている情報と一致するかどうかを確認する。固有情報が一致すれば認証可と判定して “Ｈｉｇｈ”信号を記憶部６と表示部９へ出力し、また、固有情報が一致しないか、センサキー２から固有情報が読み取れなければ認証不可と判定して “Ｌｏｗ”信号を記憶部６と表示部９へ出力する。
【００１６】
次に、本実施の形態の特徴の一つであるセンサキー２とセンサ保持部３について、図２を用いて詳細に説明する。図２（ａ）は、センサキー２をバイオセンサ１に装着した状態の斜視図、図２（ｂ）は、バイオセンサ１を本体ケース４に装着した状態のセンサ保持部３周辺の横断面図を示すものである。図２（ａ）（ｂ）に示すように、センサキー２は、固有情報記録部７がバイオセンサ１の点着部１０と反対位置になるようにバイオセンサ１に取り付けられる。即ち、上述の如く、小径の枠体２ｂ上に、この固有情報記録部７は設けられ、この小径の枠体２ｂは図２（ｂ）の如く、センサ保持部３内に挿入される。
【００１７】
センサキー２が取り付けられたバイオセンサ１を、このようにセンサ保持部３に挿入すると、接続端子も兼ねた固有情報記録部７と、センサ保持部３の端子１１が接続され、また、バイオセンサ１の電極１２とセンサ保持部３の端子１３が接続される。
【００１８】
そして、この状態でバイオセンサ１はセンサ保持部３に保持される。また、この図１、図２には図示していないが、上記接続状態において、端子１１はセンサキー認証部８と接続され、よって、固有情報記録部７に記録された固有情報は、端子１１からセンサキー認証部８へと出力され、このセンサキー認証部８にて判定が行われる。
【００１９】
固有情報記録部７は、ＩＣ（Ｉｎｔｅｇｒａｔｅｄ  Ｃｉｒｃｕｉｔ）チップで構成される。ここでは接触型ＩＣチップを用いた例を示している。即ち、端子１１とこの端子１１に接続されたセンサキー認証部８は、ＩＣチップのリーダー／ライターの機能を実現する。センサキー認証部８は端子１１を介して、固有情報記録部７に対して、固有情報（個人の識別情報）の書き込みと読み取りを行う。このＩＣチップとリーダー／ライターは一般に使われているＩＣカードとそのリーダー／ライターと同じであるので、詳細な構成と動作の説明は省略する。なお、ＩＣチップを非接触型として、端子１１の代わりに無線アンテナを用いるようにしても同様に実現可能である。
【００２０】
ここで、固有情報記録部７とセンサキー認証部８における固有情報の登録と認証、及び本実施の形態の使用方法について説明する。まず、使用者は、本実施の形態の生体情報測定装置を使用開始する際に、固有情報の登録を行う。この固有情報は、使用者が指定する任意の文字列とする。使用者は、センサキー２を本体ケース４に装着した状態（バイオセンサ１は使用せず）で、本体ケース４上に設けられたボタンなどの入力インターフェース（図示せず）を用いて任意の文字列を入力する。使用者の入力が完了すると、センサキー認証部８は、この文字列を固有情報として、センサキー認証部８が備えるメモリと、固有情報記録部７の両方に記録する。なお、使用者が指定する任意の文字列と、この文字列を入力した日時とを合わせて、固有情報としても良い。
【００２１】
次に、本実施の形態の使用方法について説明する。使用者が血糖値の測定を行う時には、まず、センサキー２を装着したバイオセンサ１をセンサ保持部３に挿入する。センサキー認証部８は、端子１１に固有情報記録部７が接触したことを検知すると、端子１１を介して固有情報記録部７に記録された固有情報を読み取る。そして、読み取った固有情報をセンサキー認証部８のメモリに記録された固有情報と比較し、両者が一致すると、認証可と判定して“Ｈｉｇｈ”信号を記憶部６と表示部９へ出力する。しかし、固有情報が一致しなかったり、固有情報記録部７から固有情報が読み取れなかったりした場合には、認証不可と判定して“Ｌｏｗ”信号を記憶部６と表示部９へ出力する。
【００２２】
この時、生体情報測定部５は、バイオセンサ１の電極１２がセンサ保持部３の端子１３に接触することで、測定待ち状態となっており、その後、点着部１０に血液が点着されると自動的に測定を開始し、測定した血糖値を記憶部６と表示部９へと出力する。
【００２３】
記憶部６は、上述の如く、センサキー認証部８からの信号が、“Ｈｉｇｈ”信号であった場合には、生体情報測定部５が測定した血糖値を測定データとして順次記憶する。ここで、記憶部６は時計を備え、測定した日時と血糖値とを関連付けて測定データとして記憶するようにしても良い。さらに、記憶部６は有線または無線の外部インターフェース（図示せず）を備えており、記憶した測定データを外部機器に送信する機能を有する。外部機器は、この測定データを解析して、使用者の健康状態を管理することが出来る。あるいは、本体ケース４内に、測定データを解析する解析部（図示せず）を設けて、解析した結果を表示部９に表示させるようにしても良い。
【００２４】
また、この時は、表示部９には、血糖値の測定データが表示され、これと同時にこの表示部９には、図１に示す如く、記憶部６への測定データの記憶を示す表示９ａを行う。これに対して、センサキー認証部８からの信号が、“Ｌｏｗ”信号であった場合には、記憶部６は、この血糖値の測定データを記憶しない。また、この時は、表示部９には、血糖値の測定データのみが表示され、上記表示９ａは表示されない。
【００２５】
以上のように、本実施の形態の生体情報測定装置によれば、センサキー２をバイオセンサ１に装着し、このセンサキー２の認証が正常に行われなければ、記憶部６が測定データの記憶を行わないようにしたので、蓄積した測定データの信頼性を高めることが可能となる。
【００２６】
つまり、本実施の形態においては、固有情報を記録させたセンサキー２をバイオセンサ１に装着した場合にのみ、記憶部６への測定データを記憶させるようになっている。これは、記憶部６に記憶させる測定データが、ある特定の使用者の測定データのみが、連続的に記憶されることを意味し、この連続した測定データを見れば、その使用者本人の健康管理が適切に行われるものとなる。
【００２７】
このような効果は、例えば、１戸の家庭内において、非常に有益なものとなる。つまり、家族に複数の患者が居た場合に、誤って、本人のものとは異なる家族の生態情報測定装置（本体ケース４）を用いて血糖値の測定を行うことがあり、その時に他の家族の測定データが記憶部６に記憶されてしまった場合には、使用者本人の適切な健康管理が行えないこととなるので、非常に有益なものになるのである。
【００２８】
なお、センサキー認証部８は、血糖値の測定を行った後、センサキー２をセンサ保持部３に装着したままで、バイオセンサ１のみが交換された場合には、 “Ｈｉｇｈ”信号を出力したままにして引き続き血糖値の測定を可能とするのではなく、センサキー２が一度取り外されるまでは血糖値の測定が出来なくなるように、測定後は“Ｌｏｗ”信号を出力するようにしても良い。そのため、センサキー認証部８は、生体情報測定部５から測定の完了を示す信号を受けるようにし、測定の完了を検知した後は固有情報記録部７と端子１１が非接触となるまで“Ｌｏｗ”信号を出力する。
【００２９】
このようにすれば、使用者は測定の度に必ずセンサキー２を本体ケース４から取り外す作業が必要となるため、センサキー２を本体ケース４に装着したままバイオセンサ１のみを取り替えて、複数の使用者が使いまわすのを防ぐことが出来る。
【００３０】
なお、図２（ｃ）は、センサキー２が無い状態でも、血糖値を測定出来る状態を示している。つまり、本実施の形態においては、この図２（ｃ）に示す如く、センサキー２が装着されていないバイオセンサ１をセンサ保持部３に挿入し、その電極１２を端子１３に接続すれば、血糖値を測定出来、その測定データは表示部９に表示させることが出来る。但し、この場合には、端子１１に固有情報記録部７が接触しておらず、固有情報が読み取れないため、センサキー認証部８は“Ｌｏｗ”信号を出力しており、その測定データは記憶部６には記憶されない。
【００３１】
なお、センサキー認証部８は、バイオセンサ１がセンサ保持部３に挿入されたことを、電極１２と端子１３の接触を検知して、固有情報の認証を行うようにする。あるいは、バイオセンサ１の装着状態に関係なく、常に認証を行うようにしても良い。
【００３２】
（実施の形態２）
上記第一の実施の形態では、センサキー２の固有情報記録部７に記録された固有情報（個人の識別情報）と、センサキー認証部８のメモリに記録された固有情報が一致しない場合であっても、血糖値の測定を可能とし、その測定データを表示部９に表示することが出来るようになっていたが、この第二の実施の形態では、上記両固有情報が一致しない場合には、血糖値の測定すら行われないようにするものである。
【００３３】
これは例えば、一戸の家庭内において、生体情報測定装置を複数の人が個々に所有している状態において、取り違えを防止するものである。この取り違えは、本人は適切に測定し、それが記録されたと思い込むのを防ぐためにも、避けるべきである。
【００３４】
図３に示す如く、本発明の第二の実施の形態は、バイオセンサ１に装着可能形状となったセンサキー２と、このセンサキー２を装着したバイオセンサ１を保持するセンサ保持部３を有する本体ケース４からなり、この本体ケース４は、前記バイオセンサ１に点着された生体試料の測定を行う生体情報測定部１４と、この生体情報測定部１４が測定した測定データを記憶する記憶部６とを備え、前記生体情報測定部１４は、前記センサ保持部３内に設けられたセンサキー認証部８が出力する信号を受けて、この信号が前記センサキー２の非認証を表す場合には前記生体試料の測定を非実行とする構成となっている。加えて、本体ケース４には、生体情報測定部１４が測定した血糖値を表示するための表示部９が設けられている。なお、上記図１、図２に示した第一の実施の形態と同一構成部分には同一符号を付してその説明を簡略化する。
【００３５】
本実施の形態における特徴点は、図３に示す如く、生体情報測定部１４内に、測定部１５と測定電力供給部１６を設けたことである。具体的には、センサキー認証部８において、端子１１に固有情報記録部７が接触したことを検知すると、端子１１を介して固有情報記録部７に記録された固有情報を読み取る。
【００３６】
そして、読み取った固有情報をセンサキー認証部８のメモリ（図示せず）に記録された固有情報と比較し、両者が一致すると、認証可と判定して“Ｈｉｇｈ”信号を測定電力供給部１６と表示部９へ出力する。すると、測定電力供給部１６から測定部１５に測定電力が供給されるので、この測定部１５では、端子１３を介してのバイオセンサ１からの入力を測定し、血糖値として記憶部６と表示部９に出力する。
【００３７】
しかし、固有情報が一致しなかったり、固有情報記録部７から固有情報が読み取れなかったりした場合には、認証不可と判定して “Ｌｏｗ”信号を測定電力供給部１６と表示部９へ出力する。この場合は、測定電力供給部１６から測定部１５に測定電力が供給されないので、血糖値は測定されず、また、表示部９においては、血糖値が測定されないという表示が行われる。このため、この状態を見た使用者は、生体情報測定装置の取り違えだと言うことに気が付き、改めて本人専用の生体情報測定装置を探し出し、これにより、適切な測定が行われることとなる。
【００３８】
以下、本実施の形態の使用方法について説明する。使用者が血糖値の測定を行う時には、まず、センサキー２を装着したバイオセンサ１をセンサ保持部３に挿入する。
【００３９】
そして、生体情報測定部５は、血糖値の測定を電気的に行う測定部１５と、この測定部１５が測定を行うための電力を供給する測定電力供給部１６で構成される。センサキー認証部８が出力する信号は測定電力供給部１６に入力され、測定電力供給部１６は、この信号に応じて、測定部１５に電力を供給するか否かを決定する。即ち、信号が“Ｈｉｇｈ”信号の時には測定部１５に電力を供給し、信号が“Ｌｏｗ”信号の時には測定部１５に電力を供給しない。測定部１５は、測定電力供給部１６から電力が供給されると、バイオセンサ１に点着した血液の血糖値を測定する。測定電力供給部１６は、例えば、本体ケース４に内蔵された電源（図示せず）と測定部１５との間に介在する、電圧調整用のレギュレータやスイッチ等で実現される。
【００４０】
また、記憶部６は、測定部１５が測定した血糖値を測定データとして順次記憶する。ここで、記憶部６は時計を備え、測定した日時と血糖値とを関連付けて測定データとして記憶するようにしても良い。さらに、記憶部６は有線または無線の外部インターフェース（図示せず）を備えており、記憶した測定データを外部機器に送信する機能を有する。外部機器は、この測定データを解析して、使用者の健康状態を管理することが出来る。あるいは、本体ケース４内に、測定データを解析する解析部（図示せず）を設けて、解析した結果を表示部９に表示させるようにしても良い。
【００４１】
以上のように、本実施形態の生体情報測定装置によれば、センサキー２をバイオセンサ１に装着し、このセンサキー２の認証が正常に行われなければ、生体情報測定部５が測定を行わないようにしたので、記憶部６には固有情報を登録したセンサキー２を所有する使用者だけの測定データが蓄積されるようになり、蓄積した測定データの信頼性を高めることが可能となる。
【００４２】
つまり、本実施の形態においては、固有情報を記録させたセンサキー２をバイオセンサ１に装着した場合にのみ、生体情報測定部１４が測定を行うようになっている。これは、記憶部６に記憶させる測定データが、ある特定の使用者の測定データのみが、連続的に記憶されることを意味し、この連続した測定データを見れば、その使用者本人の健康管理が適切に行われるものとなる。
【００４３】
このような効果は、例えば、一戸の家庭内において、非常に有益なものとなる。つまり、生体情報測定装置を複数の人が個々に所有している状態において、取り違えを防止するものである。この取り違えにより、本人は適切に測定し、それが記録されたと思い込んでしまうと、使用者本人の適切な健康管理が行えないこととなるので、非常に有益なものになるのである。
【００４４】
なお、センサキー認証部８は、血糖値の測定を行った後、センサキー２をセンサ保持部３に装着したままで、バイオセンサ１のみが交換された場合には、 “Ｈｉｇｈ”信号を出力したままにして引き続き血糖値の測定を可能とするのではなく、センサキー２が一度取り外されるまでは血糖値の測定が出来なくなるように、測定後は“Ｌｏｗ”信号を出力するようにしても良い。そのため、センサキー認証部８は、測定部１５から測定の完了を示す信号を受けるようにし、測定の完了を検知した後は固有情報記録部７と端子１１が非接触となるまで“Ｌｏｗ”信号を出力する。
【００４５】
このようにすれば、使用者は測定の度に必ずセンサキー２を本体ケース４から取り外す作業が必要となるため、センサキー２を本体ケース４に装着したままバイオセンサ１のみを取り替えて、複数の使用者が使いまわすのを防ぐことが出来る。
【００４６】
なお、本実施の形態では、図２（ｃ）に示す如く、センサキー２が無い状態でバイオセンサ１がセンサ保持部３に挿入された時には、測定部１５において血糖値の測定は行われ無い。従って、使用者が血液を採取するために穿刺を行う前に、測定を行わないことを知らしめるため、バイオセンサ１が挿入されたことを検知して直ちに表示部９へ測定を行わないことを表示させるようにすることが好ましい。
【００４７】
（実施の形態３）
図４は、本発明の第三の実施の形態を示し、この実施の形態においては、１つの生体情報測定装置を、個別の固有情報を所有する複数の使用者で共用するものであり、上記図１、図２に示した第一の実施の形態と同一構成部分には同一符号を付してその説明を簡略化する。
【００４８】
図４に示す如く、本実施の形態は、バイオセンサ１に装着可能形状となった複数のセンサキー１７ａ〜１７ｃと、これら複数のセンサキー１７ａ〜１７ｃのいずれか１つを装着したバイオセンサ１を保持するセンサ保持部３を有する本体ケース４からなり、この本体ケース４内に、バイオセンサ１に点着された生体試料の測定を行う生体情報測定部５と、複数のセンサキー１７ａ〜１７ｃそれぞれに対応した複数の記憶領域１８ａ〜１８ｃを有し、生体情報測定部５が測定した測定データを複数の記憶領域１８ａ〜１８ｃのいずれか１つに記憶する記憶部１８と、センサ保持部３内に設けられたセンサキー認証部８から出力される信号に基づいて、記憶部１８内の複数の記憶領域１８ａ〜１８ｃのうちいずれか１つに測定データを記憶することを指示する記憶領域選択部１９が設けられている。加えて、本体ケース４には、生体情報測定部５が測定した血糖値を表示するための表示部９が設けられている。
【００４９】
まず、本実施の形態の特徴点である、複数のセンサキー１７ａ〜１７ｃと複数の記憶領域１８ａ〜１８ｃについて説明する。本実施の形態では、センサキー１７ａ〜１７ｃを３つ用いる場合を例としている。センサキー１７ａ〜１７ｃは、それぞれ別々の使用者に割り当てても良いし、同一の使用者が紛失時の予備として複数のセンサキー１７ａ〜１７ｃを保有しても良い。複数のセンサキー１７ａ〜１７ｃと複数の記憶領域１８ａ〜１８ｃはそれぞれ一対一で対応しており、対応情報は記憶領域選択部１９が記憶している。記憶部１８は時計を備え、測定した日時と血糖値とを関連付けて測定データとして記憶領域１８ａ〜１８ｃに記憶する。
【００５０】
記憶部１８は、有線または無線の外部インターフェース（図示せず）を備えており、記憶した測定データを外部機器に送信する機能を有する。外部機器に測定データを送信する際には、記憶領域１８ａ〜１８ｃ毎に分けて送信する。外部機器は、記憶領域１８ａ〜１８ｃ毎に別々の使用者の測定データとして解析を行い、それぞれの使用者の健康状態を管理することが可能となる。
【００５１】
次に、センサキー認証部８について説明する。センサキー認証部８は、第一の実施の形態に示したものと同じ構成であるが、一部動作が異なる。複数のセンサキー１７ａ〜１７ｃに固有情報を記録する際には、固有情報を固有情報記録部７には記録するが、センサキー認証部８にはこの固有情報を記録しない。この固有情報は代わりに記憶領域選択部１９に記録される。
【００５２】
また、血糖値の測定を行う際には、センサキー認証部８は、端子１１を介して固有情報記録部７から固有情報の読み取りを試み、固有情報を読み取ることが出来たか否かを示す判定信号を生成し、固有情報の読み取りが成功した場合には、前記判定信号と読み取った固有情報とを合わせて、認証情報として記憶領域選択部１９に出力する。一方、固有情報を読み取ることが出来なかった場合には、判定信号のみを認証情報として出力する。
【００５３】
判定信号は、センサキー１７ａ〜１７ｃから固有情報を読み取ることが出来た場合に、 “Ｈｉｇｈ”信号となる。しかし、固有情報が一致しなかったり、固有情報記録部７から固有情報が読み取れなかったりした場合、あるいは端子１１に固有情報記録部７が接触していない場合（即ち、センサキー１７ａ〜１７ｃがバイオセンサ１に装着されていない場合）には、“Ｌｏｗ”信号となる。
【００５４】
次に、本実施の形態のもう一つの特徴である記憶領域選択部１９について説明する。記憶領域選択部１９は、センサキー認証部８が出力する認証情報に基づいて、生体情報測定部５が出力する血糖値を、記憶部１８のどの記憶領域１８ａ〜１８ｃに記憶するかを決定する。そのために、記憶領域選択部１９はメモリ（図示せず）を備えている。
【００５５】
固有情報の登録を行う時、使用者は使用するセンサキー１７ａ〜１７ｃをセンサ保持部３に装着し（バイオセンサ１は使用せず）、本体ケース４上に設けられたボタンなどの入力インターフェース（図示せず）を用いて任意の文字列を入力する。使用者の入力が完了すると、記憶領域選択部１９は、この文字列を固有情報とする。さらにこの時、この固有情報を記録したセンサキー１７ａ〜１７ｃがセンサ保持部３に挿入された時に、測定した血糖値を記憶部１８のどの記憶領域１８ａ〜１８ｃに記憶するかを決定する。
【００５６】
この時、記憶領域選択部１９は、既に固有情報に割り当てられている記憶領域１８ａ〜１８ｃが無いかメモリを確認し、割り当てが重複しないようにする。そして、固有情報と割り当てた記憶領域を関連付けてメモリに記録する。同時にこの固有情報はセンサキー認証部８へと送られ、センサキー認証部８は、端子１１を介してこの固有情報を固有情報記録部７に記録する。
【００５７】
固有情報を登録して使えるセンサキー１７ａ〜１７ｃを増やす設定は、使用開始時だけでなく、後から追加することが可能である。記憶部１８が予めたくさんの記憶領域１８ａ〜１８ｃを区切って用意していれば、その数だけ追加出来る。あるいは、固有情報を登録する度に、記憶部１８の空き領域に新たに記憶領域を作成するようにしても良い。
【００５８】
以下、本実施の形態の使用方法について、説明する。測定を行う際には、記憶領域選択部１９は、まず、センサキー認証部８から出力される判定信号を参照する。判定信号が“Ｌｏｗ”信号の場合、記憶領域選択部１９は、記憶部１８に生体情報測定部５が出力する血糖値を記憶する指示を出さない。
【００５９】
一方、判定信号が“Ｈｉｇｈ”信号の場合、記憶領域選択部１９は、次にセンサキー認証部８が出力する、センサキー１７ａ〜１７ｃの固有情報記録部７から読み取った固有情報を参照し、記憶領域選択部１９が備えるメモリに記録した固有情報から読み取った固有情報と一致するものを探索する。センサキー認証部８が出力する固有情報と一致する固有情報がメモリから見つかった場合には、記憶部１８に対して、その固有情報に割り当てられた記憶領域１８ａ〜１８ｃに、生体情報測定部５が出力する血糖値を記憶させるように指示信号を出力する。
【００６０】
例えば、センサキー１７ａがセンサ保持部３に挿入され、このセンサキー１７ａが記憶領域１８ａに対応付けられていた場合、記憶領域選択部１９は、記憶部１８に対して、記憶領域１８ａに血糖値を記憶させる指示を行う。
【００６１】
もし、判定信号が“Ｈｉｇｈ”信号であっても、センサキー認証部８が出力する固有情報と一致する固有情報が、記憶領域選択部１９の備えるメモリに記録されていない場合には、記憶領域選択部１９は、記憶部１８に生体情報測定部５が出力する血糖値を記憶させる指示を出さない。
【００６２】
また、記憶領域選択部１９は、表示部９に対して選択情報信号を出力する。この選択情報信号は、生体情報測定部５が出力する血糖値を記憶部１８に記憶させるかどうかと、記憶させる場合には記憶部１８のどの記憶領域１８ａ〜１８ｃに記憶するかを示す信号である。
【００６３】
そして表示部９には、生体情報測定部５が出力する血糖値と、記憶領域選択部１９が出力する選択情報信号とが入力される。表示部９は、生体情報測定部５から血糖値が出力された時に、選択情報信号を参照する。そして、選択情報信号が、その血糖値を記憶部１８内の記憶領域１８ａ〜１８ｃのいずれかに記憶させることを示している場合には、血糖値と、どの記憶領域１８ａ〜１８ｃに記憶させるかを、例えば、図３に示す如く、記憶部６への測定データの記憶を表す表示９ｂを行う。
【００６４】
一方、生体情報測定部５から血糖値が出力された時に、選択情報信号がその血糖値を記憶部１８に記憶させないことを示していれば、血糖値と、その血糖値を記憶しないことを表示する。
【００６５】
以上のように、本実施の形態の生体情報測定装置によれば、複数のセンサキー１７ａ〜１７ｃと、これらのセンサキー１７ａ〜１７ｃに対応する記憶領域１８ａ〜１８ｃを設け、測定した血糖値を使用したセンサキー１７ａ〜１７ｃ毎に分けて記憶するようにしたので、複数の使用者が本装置を共用しても、使用者毎に血糖値を分けて蓄積することが出来るようになり、利便性が向上する。
【００６６】
つまり、本実施の形態においては、複数のセンサキー１７ａ〜１７ｃそれぞれに対して記憶する領域が異なるようにしている。これは、１つの記憶領域の中ではある特定の使用者の測定データのみが、連続的に記憶されることを意味し、この連続した測定データを見れば、その使用者本人の健康管理が適切に行われるものとなる。
【００６７】
このような効果は、例えば、一戸の家庭内において、非常に有益なものとなる。つまり、生体情報測定装置を複数の人が共有して使用している状態において、使用者ごとに測定データを分けて記憶するものである。記憶領域を分けなければ、使用者本人の適切な健康管理が行えないこととなるので、非常に有益なものになるのである。
【００６８】
さらに、登録したもの以外のセンサキーを装着したバイオセンサ１や、センサキーを装着していないバイオセンサ１を用いた場合でも、血糖値を測定して表示するようにしたので、どの使用者でも血糖値の測定を行うことが出来て、利便性が向上する。
【００６９】
なお、センサキー認証部８は、血糖値の測定を行った後、センサキーをセンサ保持部３に装着したままで、バイオセンサ１のみが交換された場合には、“Ｈｉｇｈ”信号を出力したままにして引き続き血糖値の測定を可能とするのではなく、センサキー１７ａ〜１７ｃが一度取り外されるまでは血糖値の測定が出来なくなるように、測定後は“Ｌｏｗ”信号を出力するようにしても良い。そのため、センサキー認証部８は、生体情報測定部５から測定の完了を示す信号を受けるようにし、測定の完了を検知した後は固有情報記録部７と端子１１が非接触となるまで“Ｌｏｗ”信号を出力する。
【００７０】
このようにすれば、センサキーを本体ケース４に装着したままバイオセンサ１のみを取り替えて、血糖値の測定を行った時には、相関の無い血糖値の測定データが記憶領域１８ａ〜１８ｃのいずれかに混入するのを防ぐことが出来る。
【００７１】
また、本体ケース４内に、バイオセンサ１に点着した血液の血液型を判定する血液型判定部（図示せず）を設けるとともに、固有情報記録部７及びセンサキー認証部８への固有情報記録の際に任意の文字列と血液型を合わせて固有情報とし、血液型判定部で判定した血液型と固有情報の血液型が一致した時に測定した血糖値を記憶するようにしても良い。記憶領域選択部１９は、固有情報から得た血液型が、血液型判定部が出力する血液型と一致するかを確認する。血液型が一致すると、記憶領域選択部１９は該当する記憶領域に、測定された血糖値を記憶させるように記憶部１８に指示する。このようにすれば、使用者の判別精度をより向上することが可能となる。
【００７２】
なお、図２（ｃ）に示す如く、センサキー２が無い状態でバイオセンサ１がセンサ保持部３に挿入された時には、その電極１２と端子１３が接続して、血糖値が測定される。この場合には、端子１１に固有情報記録部７が接触しておらず、固有情報が読み取れないため、センサキー認証部８は“Ｌｏｗ”信号を出力しており、その測定データは記憶部１８には記憶されない。
【産業上の利用可能性】
【００７３】
本発明にかかる生体情報測定装置は、バイオセンサに装着可能形状となったセンサキーと、このセンサキーを装着したバイオセンサを保持するセンサ保持部を有する本体ケースからなり、この本体ケースは、前記バイオセンサに点着された生体試料の測定を行う生体情報測定部と、この生体情報測定部が測定した測定データを記憶する記憶部と、前記測定データを表示する表示部とを備え、前記記憶部は、前記センサ保持部内に設けられたセンサキー認証部が出力する信号を受けて、この信号が前記センサキーの非認証を表す場合には、前記測定データの記憶を非実行とするものであるので、使用者の健康状態を管理するために生体情報を測定して蓄積する測定装置等として有用である。
【図面の簡単な説明】
【００７４】
【図１】本発明の実施の形態１における生体情報測定装置を示す図
【図２】同センサキーとセンサ保持部の構成を示す図
【図３】本発明の実施の形態２における生体情報測定装置を示す図
【図４】本発明の実施の形態３における生体情報測定装置を示す図
【符号の説明】
【００７５】
１  バイオセンサ
２  センサキー
２ａ、２ｂ  枠体
２ｃ  貫通孔
３  センサ保持部
４  本体ケース
５  生体情報測定部
６  記憶部
７  固有情報記録部
８  センサキー認証部
９  表示部
９ａ、９ｂ  表示
１０  点着部
１１  端子
１２  電極
１３  端子
１４  生体情報測定部
１５  測定部
１６  測定電力供給部
１７ａ、１７ｂ、１７ｃ  センサキー
１８  記憶部
１８ａ、１８ｂ、１８ｃ  記憶領域
１９  記憶領域選択部
【図１】
2010066147.tif 000003
【図２】
2010066147.tif 000004
【図３】
2010066147.tif 000005
【図４】
2010066147.tif 000006